(57)【要約】      （修正有）【課題】コイル又は発電用永久磁石を摩擦によるロスが発生せず、しかも、安定して所定方向に変位させることができる発電装置を得る。【解決手段】発電装置１０では、駆動部２０の第１保持用永久磁石４０、４２の外周部の磁極と、これらの第１保持用永久磁石４０、４２を収容する第２保持用永久磁石１６、１８の内周部（各収容孔１５の内周部）の磁極とが同じ極性とされているので、第２保持用永久磁石１６、１８は、磁気浮揚によって駆動部２０を軸線方向へ振動可能に保持している。これにより、第１保持用永久磁石４０、４２に一体的に連結された発電用永久磁石２２（駆動部２０）の振動を軸線方向に安定させることができる。しかも、第１保持用永久磁石４０、４２と第２保持用永久磁石１６、１８との間に摩擦が発生することがなく、これにより、発電用永久磁石２２の振動に摩擦によるロスが発生することがない。【選択図】図１
2006333688.tif 000002
【特許請求の範囲】
【請求項１】
コイル及び前記コイルの近傍に設けられた発電用永久磁石を有し、前記コイル又は前記発電用永久磁石を所定方向へ変位させることで前記コイルに誘導電流を発生させて発電する発電装置であって、
前記コイル又は前記発電用永久磁石に一体的に連結された第１保持用永久磁石と、
前記第１保持用永久磁石の少なくとも一部を収容すると共に前記第１保持用永久磁石の前記収容部分外周部の磁極と極性が同じ磁極が内周部に形成された収容孔を有し、前記第１保持用永久磁石を磁気浮揚によって前記所定方向へ変位可能に保持する第２保持用永久磁石と、
を備えた発電装置。
【請求項２】
弾性部材と、
前記弾性部材によって所定方向へ振動可能に支持された発電用永久磁石と、
前記発電用永久磁石の近傍に設けられ、前記発電用永久磁石の振動によって誘導電流を発生させるコイルと、
正極及び負極のうち一方の磁極が外周部に形成され、前記発電用永久磁石に一体的に連結された第１保持用永久磁石と、
前記所定方向に沿って形成された収容孔を有し、前記収容孔の内側に前記第１保持用永久磁石を収容すると共に、前記第１保持用永久磁石の前記外周部の磁極と極性が同じ磁極が前記収容孔の内周部に形成され、前記第１保持用永久磁石を磁気浮揚によって前記所定方向へ振動可能に保持する第２保持用永久磁石と、
を備えた発電装置。
【請求項３】
前記第１保持用永久磁石は、前記所定方向に沿った前記発電用永久磁石の両側に一対設けられ、
前記第２保持用永久磁石は、前記一対の第１保持用永久磁石に対応して一対設けられる、
ことを特徴とする請求項２記載の発電装置。
【請求項４】
前記弾性部材、前記発電用永久磁石、及び前記第１保持用永久磁石は、直線的に配列されている、ことを特徴とする請求項２記載又は請求項３記載の発電装置。
【請求項５】
前記発電用永久磁石は、前記コイルの内側に配置されている、ことを特徴とする請求項２乃至請求項４の何れか１項に記載の発電装置。
【請求項６】
装置本体を構成するケースを備え、
前記コイルは、前記ケースに支持され、
前記弾性部材は、一端が前記発電用永久磁石に直接的又は間接的に係止されると共に他端が前記ケースに係止され、
前記第２保持用永久磁石は、前記ケースに固定されている、
ことを特徴とする請求項２乃至請求項５の何れか１項に記載の発電装置。
【発明の詳細な説明】
【技術分野】
【０００１】
本発明は、発電装置に関し、特に携帯可能な発電装置に関する。
【背景技術】
【０００２】
携帯可能な発電装置としては、例えば、永久磁石と、該永久磁石を振動可能に支持するバネと、該永久磁石を内側に収容するコイルと、を備え、永久磁石をコイルの軸線方向に振動させることで、コイルに誘導電流を発生させる構成のものが知られている（例えば、特許文献１参照）。
【０００３】
前記特許文献に示された発電装置では、永久磁石がバネのみによって支持された構成であるため、永久磁石の振動に摩擦などによるロスが発生せず、発電の効率を向上させることができる。
【０００４】
しかしながら、上記構成の発電装置では、上述の如く永久磁石がバネのみによって支持された構成であるため、永久磁石はコイルの軸線方向のみならずコイルの径方向へも振動可能とされており（永久磁石の振動が安定しない構成となっており）、コイルの内径寸法は永久磁石が接触しない程度に大きく形成されている。このため、上記構成の発電装置では、コイルと永久磁石との間の距離寸法も大きく設定されており、発電効率が低下する原因となっている。
【０００５】
一方、モータ等を用いた回転タイプの発電装置も知られているが、このような発電装置においては、コイル又は発電用永久磁石を支持する回転軸の軸受部分に摩擦が生じるため、コイル又は発電用永久磁石の回転にロスが生じ、発電効率が低下するという問題がある。
【特許文献１】特開平１０−３２３００６号公報
【発明の開示】
【発明が解決しようとする課題】
【０００６】
本発明は上記事実を考慮し、コイル又は発電用永久磁石の変位に摩擦によるロスが発生せず、しかも、コイル又は発電用永久磁石を安定して所定方向に変位させることができる発電装置を得ることが目的である。
【課題を解決するための手段】
【０００７】
上記課題を解決するために、請求項１に係る発明の発電装置は、コイル及び前記コイルの近傍に設けられた発電用永久磁石を有し、前記コイル又は前記発電用永久磁石を所定方向へ変位させることで前記コイルに誘導電流を発生させて発電する発電装置であって、前記コイル又は前記発電用永久磁石に一体的に連結された第１保持用永久磁石と、前記第１保持用永久磁石の少なくとも一部を収容すると共に前記第１保持用永久磁石の前記収容部分外周部の磁極と極性が同じ磁極が内周部に形成された収容孔を有し、前記第１保持用永久磁石を磁気浮揚によって前記所定方向へ変位可能に保持する第２保持用永久磁石と、を備えたことを特徴としている。
【０００８】
請求項１記載の発電装置では、コイル又はコイルの近傍に設けられた発電用永久磁石が所定方向へ変位すると、コイルに誘導電流が発生し発電される。
【０００９】
ここで、この発電装置では、コイル又は発電用永久磁石には、第１保持用永久磁石が一体的に連結されている。この第１保持用永久磁石は、少なくとも一部が第２保持用永久磁石の収容孔内に収容されており、第１保持用永久磁石の収容部分外周部の磁極と収容孔の内周部の磁極とが同じ極性とされている。これにより、第２保持用永久磁石は、磁気浮揚によって第１保持用永久磁石を所定方向へ変位可能に保持しており、これにより、第１保持用永久磁石に一体的に連結されたコイル又は発電用永久磁石の変位が所定方向に安定する。
【００１０】
しかも、第２保持用永久磁石は、第１保持用永久磁石を磁気浮揚により保持しているので、第１保持用永久磁石と第２保持用永久磁石との間に摩擦が発生することがなく、これにより、コイル又は発電用永久磁石の変位に摩擦によるロスが発生することがない。
【００１１】
請求項２に係る発明の発電装置は、弾性部材と、前記弾性部材によって所定方向へ振動可能に支持された発電用永久磁石と、前記発電用永久磁石の近傍に設けられ、前記発電用永久磁石の振動によって誘導電流を発生させるコイルと、正極及び負極のうち一方の磁極が外周部に形成され、前記発電用永久磁石に一体的に連結された第１保持用永久磁石と、前記所定方向に沿って形成された収容孔を有し、前記収容孔の内側に前記第１保持用永久磁石を収容すると共に、前記第１保持用永久磁石の前記外周部の磁極と極性が同じ磁極が前記収容孔の内周部に形成され、前記第１保持用永久磁石を磁気浮揚によって前記所定方向へ振動可能に保持する第２保持用永久磁石と、を備えたことを特徴としている。
【００１２】
請求項２記載の発電装置では、発電用永久磁石が弾性部材によって所定方向へ振動可能に支持されており、この発電用永久磁石が振動（変位）すると、コイルに誘導電流が発生し発電される。
【００１３】
ここで、この発電装置では、発電用永久磁石には、外周部に正極及び負極のうち一方の磁極が形成された第１保持用永久磁石が一体的に連結されており、この第１保持用永久磁石は、第２保持用永久磁石に形成された収容孔内に収容されている。この収容孔の内周部には、第１保持用永久磁石の外周部の磁極と極性が同じ磁極が形成されており、第２保持用永久磁石は、磁気浮揚によって第１保持用永久磁石を所定方向へ振動可能に保持している。すなわち、第１保持用永久磁石の振動方向が第２保持用永久磁石によって所定方向に制限されるので、第１保持用永久磁石に一体的に連結された発電用永久磁石を、所定方向に安定して振動させることができる。これにより、例えば、発電用永久磁石とコイルとの距離を近づけることが可能となり、発電効率を向上させることができる。
【００１４】
しかも、第２保持用永久磁石は、第１保持用永久磁石を磁気浮揚により保持しているので、第１保持用永久磁石と第２保持用永久磁石との間に摩擦が発生することがなく、これにより、発電用永久磁石の振動に摩擦によるロスが発生することがない。
【００１５】
請求項３に係る発明の発電装置は、請求項２記載の発電装置において、前記第１保持用永久磁石は、前記所定方向に沿った前記発電用永久磁石の両側に一対設けられ、前記第２保持用永久磁石は、前記一対の第１保持用永久磁石に対応して一対設けられる、ことを特徴としている。
【００１６】
請求項３記載の発電装置では、所定方向（振動方向）に沿った発電用永久磁石の両側に、一対の第１保持用永久磁石が一体的に連結されており、これら一対の第１保持用永久磁石は、一対の第２保持用永久磁石によって磁気浮揚により前記所定方向に振動可能に保持されている。このように、発電用永久磁石の振動を前記所定方向に制限する第１保持用永久磁石と第２保持用永久磁石とが、発電用永久磁石の振動方向両側に設けられているため、発電用永久磁石の振動を一層良好に安定させることができる。
【００１７】
請求項４に係る発明の発電装置は、請求項２記載又は請求項３記載の発電装置において、前記弾性部材、前記発電用永久磁石、及び前記第１保持用永久磁石は、直線的に配列されている、ことを特徴としている。
【００１８】
請求項４記載の発電装置では、弾性部材、発電用永久磁石、及び第１保持用永久磁石が直線的に配列されているので、弾性部材の弾性力の設定がし易く発電用永久磁石をスムースに振動させることができると共に、装置をコンパクトに構成できる。
【００１９】
請求項５に係る発明の発電装置は、請求項２乃至請求項４の何れか１項に記載の発電装置において、前記発電用永久磁石は、前記コイルの内側に配置されている、ことを特徴としている。
【００２０】
請求項５記載の発電装置では、発電用永久磁石がコイルの内側に配置されているので、発電効率を向上させることができると共に、装置をコンパクトに構成できる。
【００２１】
請求項６に係る発明の発電装置は、請求項２乃至請求項５の何れか１項に記載の発電装置において、装置本体を構成するケースを備え、前記コイルは、前記ケースに支持され、前記弾性部材は、一端が前記発電用永久磁石に直接的又は間接的に係止されると共に他端が前記ケースに係止され、前記第２保持用永久磁石は、前記ケースに固定されている、ことを特徴としている。
【００２２】
請求項６記載の発電装置では、コイルがケースに支持されると共に、第２保持用永久磁石がケースに固定されており、この第２保持用永久磁石によって第１保持用永久磁石ひいては発電用永久磁石が磁気浮揚により保持されている。また、弾性部材は、一端が発電用永久磁石に直接的又は間接的に係止されており、他端がケースに係止されている。したがって、例えば、ケースを人体や車体に取り付ければ、人体や車体の振動により発電用永久磁石を振動させることができ、コイルに誘導電流を発生させることができる。このように、ケースによって装置がユニット化されているので、取り扱いが容易である。
【発明の効果】
【００２３】
以上説明した如く、本発明の発電装置では、コイル又は発電用永久磁石の変位に摩擦によるロスが発生せず、しかも、コイル又は発電用永久磁石を安定して所定方向に変位させることができる。
【発明を実施するための最良の形態】
【００２４】
＜第１の実施の形態＞
図３には、本発明の第１の実施の形態に係る発電装置１０の構成が分解斜視図にて示されている。
【００２５】
発電装置１０は、振動により発電するタイプの発電装置であり、装置本体を構成するケース１２を備えている。ケース１２は、底壁と側壁とを有する箱状に形成されており、ケース１２の開口部は図示しないカバーにより閉塞されるようになっている。
【００２６】
ケース１２内の底壁には、角柱状に形成された一対の固定部１４が突出形成されており、各固定部１４の上端には円筒状に形成された第２保持用永久磁石１６、１８が互いに同軸的に固定されている。これら一対の第２保持用永久磁石１６、１８は、図２に示す如く、各筒内が収容孔１５とされており、内周部にＮ極（正極）１７が形成され、外周部にＳ極（負極）１９が形成された構成となっている。
【００２７】
また、発電装置１０は、駆動部２０を備えている。駆動部２０は、全体として長尺な円柱状に形成されており、一対の第２保持用永久磁石１６、１８に対して同軸的に配置されている。この駆動部２０は、円筒状に形成された発電用永久磁石２２を備えている。発電用永久磁石２２は、軸線方向一側にＮ極（正極）が形成され、軸線方向他端側にＳ極（負極）が形成されている（Ｎ極とＳ極とが軸線方向に沿って配列されている、図１参照）。
【００２８】
発電用永久磁石２２の軸線方向一側には、発電用永久磁石２２と同径の円柱状に形成された第１連結部材２４が設けられている。第１連結部材２４の軸線方向他側には、雄ネジ２８が同軸的に突出形成されている。雄ネジ２８は、発電用永久磁石２２の筒内に挿入されており、先端部が発電用永久磁石２２の軸線方向他側へ突出している。また、第１連結部材２４の軸線方向一側には、円柱状の支持部３０が同軸的に突出形成されている。
【００２９】
一方、発電用永久磁石２２の軸線方向他側には、発電用永久磁石２２と同径の円柱状に形成された第２連結部材３２が設けられている。第２連結部材３２の軸心部には、雌ネジ３６が形成されている。この雌ネジ３６には、第１連結部材２４の雄ネジ２８の先端部が螺合しており、発電用永久磁石２２、第１連結部材２４、及び第２連結部材３２は、一体的に連結されている。また、第２連結部材３２の軸線方向他側には、円柱状に形成された支持部３８が同軸的に突出形成されている。
【００３０】
さらに、第１連結部材２４の軸線方向一側及び第２連結部材３２の軸線方向他側（発電用永久磁石２２の軸線方向両側）には、それぞれ発電用永久磁石２２と同径の円筒状に形成された第１保持用永久磁石４０、４２が設けられている。
【００３１】
一方の第１保持用永久磁石４０の筒内には、第１連結部材２４の支持部３０が挿入されており、これにより、第１保持用永久磁石４０は、第１連結部材２４に同軸的に支持されている。また、他方の第１保持用永久磁石４２の筒内には、第２連結部材３２の支持部３８が挿入されており、これにより、第１保持用永久磁石４２は、第２連結部材３２に同軸的に支持されている。
【００３２】
これら一対の第１保持用永久磁石４０、４２は、図２に示す如く、外周部にＮ極（正極）４１が形成され、内周部にＳ極（負極）４３が形成された構成となっており、それぞれ前述した第２保持用永久磁石１６、１８の内側（筒内）に収容されている。
【００３３】
また一方、駆動部２０の軸線方向一側（第１保持用永久磁石４０の軸線方向一側）には、第１捩りコイルスプリング（弾性部材）４４が設けられている。第１捩りコイルスプリング４４の軸線方向一端部は、ケース１２の側壁に係止されており、ケース１２の側壁に突出形成された円柱状の係止部４６によって径方向への移動を規制されている。
【００３４】
また、第１捩りコイルスプリング４４の軸線方向他端部は、第１保持用永久磁石４０の軸線方向一端部に係止されており、第１保持用永久磁石４０を貫通した支持部３０によって径方向への移動を規制されている。この第１捩りコイルスプリング４４は、駆動部２０を軸線方向他側へ付勢している。
【００３５】
駆動部２０の軸線方向他側（第１保持用永久磁石４２の軸線方向他側）には、第１捩りコイルスプリング４４と同じ弾性力を備えた第２捩りコイルスプリング（弾性部材）４８が設けられている。第２捩りコイルスプリング４８の軸線方向他端部は、ケース１２の側壁に係止されており、ケース１２の側壁に突出形成された円柱状の係止部５０によって径方向への移動を規制されている。
【００３６】
また、第２捩りコイルスプリング４８の軸線方向一端部は、第１保持用永久磁石４２の軸線方向他端部に係止されており、第１保持用永久磁石４２を貫通した支持部３８によって径方向への移動を規制されている。この第２捩りコイルスプリング４８は、駆動部２０を軸線方向一側へ付勢している。
【００３７】
さらに、この発電装置１０は、発電用永久磁石２２の周りに巻き回されたコイル５２を備えている。コイル５２は、発電用永久磁石２２の外径寸法よりも僅かに大きな内径寸法を有しており、発電用永久磁石２２に対して同軸的に配置されている。このコイル５２の巻き方向一端部には、図示しない整流回路を介して図示しない蓄電器が接続されている。
【００３８】
ここで、本第１の実施の形態に係る発電装置１０では、駆動部２０は、第１捩りコイルスプリング４４と第２捩りコイルスプリング４８との付勢力が釣り合うことで、通常は図１（Ａ）に示す中立位置に保持されている。
【００３９】
また、この発電装置１０では、前述した如く駆動部２０の一対の第１保持用永久磁石４０、４２は、ケース１２に固定された一対の第２保持用永久磁石１６、１８の各収容孔１５内に配置されているが、一対の第１保持用永久磁石４０、４２の外周部の磁極と、各収容孔１５の内周部の磁極が同じＮ極であるため、一対の第１保持用永久磁石４０、４２は、図２に示す如く、一対の第２保持用永久磁石１６、１８の各収容孔１５内で磁気浮揚により保持されている。
【００４０】
しかもこの状態では、駆動部２０（一対の第１保持用永久磁石４０、４２）は、一対の第２保持用永久磁石１６、１８に対して同軸的に保持されており、自らの軸線方向に沿って移動可能とされているので、駆動部２０に軸線方向に沿った何らかの外力が作用すると、駆動部２０は第１捩りコイルスプリング４４及び第２捩りコイルスプリング４８の付勢力によって軸線方向に振動（往復移動）する構成となっている。
【００４１】
次に、本第１の実施の形態の作用について説明する。
【００４２】
上記構成の発電装置１０では、ケース１２に振動（図１（Ａ）の矢印Ｖ参照）が付与されると、この振動が駆動部２０に伝達され、図１（Ｂ）及び図１（Ｃ）に示す如く、駆動部２０が第１捩りコイルスプリング４４又は第２捩りコイルスプリング４８の付勢力によって軸線方向に振動（往復移動）する（図１（Ｂ）の矢印Ｆ及び図１（Ｃ）の矢印Ｒ参照）。これにより、発電用永久磁石２２がコイル５２の内側で軸線方向に振動し、コイル５２には電磁誘導によって誘導電流が発生する。この誘導電流は図示しない整流回路により電圧信号に変換され、図示しない蓄電器に蓄電される。
【００４３】
ここで、本第１の実施の形態に係る発電装置１０では、駆動部２０の第１保持用永久磁石４０、４２の外周部の磁極と、ケース１２に固定された第２保持用永久磁石１６、１８の内周部（各収容孔１５の内周部）の磁極とが同じ極性（本第１の実施の形態では、Ｎ極）とされているので、第２保持用永久磁石１６、１８は、磁気浮揚によって駆動部２０を軸線方向（所定方向）へ振動可能に保持している。すなわち、第１保持用永久磁石４０、４２の振動方向が第２保持用永久磁石１６、１８によって軸線方向に制限されるので、発電用永久磁石２２（駆動部２０）の振動を軸線方向に安定させることができる（発電用永久磁石２２が径方向に振動することを防止できる）。これにより、例えば、コイル５２の内径寸法を小さく形成して発電用永久磁石２２とコイル５２との距離を近づけることが可能となり、発電効率を向上させることができる。
【００４４】
しかも、第２保持用永久磁石１６、１８は、第１保持用永久磁石４０、４２を磁気浮揚により保持しているので、第１保持用永久磁石４０、４２と第２保持用永久磁石１６、１８との間に摩擦が発生することがなく、これにより、発電用永久磁石２２の振動に摩擦によるロスが発生することがない。
【００４５】
さらに、本第１の実施の形態に係る発電装置１０では、発電用永久磁石２２（駆動部２０）の振動を軸線方向に制限する第１保持用永久磁石４０、４２と第２保持用永久磁石１６、１８とが、発電用永久磁石２２の振動方向両側に設けられているため、発電用永久磁石２２の振動方向を一層良好に安定させることができる。
【００４６】
また、本第１の実施の形態に係る発電装置１０では、第１捩りコイルスプリング４４、駆動部２０（第１保持用永久磁石４０、第１連結部材２４、発電用永久磁石２２、第２連結部材３２、第１保持用永久磁石４２）、及び第２捩りコイルスプリング４８が直線的に配列されているので、第１捩りコイルスプリング４４及び第２捩りコイルスプリング４８の弾性力の設定がし易く駆動部２０（発電用永久磁石２２）をスムースに振動させることができると共に、装置をコンパクトに構成できる。
【００４７】
また、本第１の実施の形態に係る発電装置１０では、発電用永久磁石２２がコイル５２の内側に配置されているので、発電効率を向上させることができると共に、装置をコンパクトに構成できる。
【００４８】
さらに、本第１の実施の形態に係る発電装置１０では、例えば、ケース１２を人体や車体に取り付ければ、人体や車体の振動により駆動部２０（発電用永久磁石２２）を振動させることができ、コイル５２に誘導電流を発生させることができる。このように、ケース１２によって装置がユニット化されているので、取り扱いが容易である。
【００４９】
以上説明した如く、本発明の第１の実施の形態に係る発電装置１０では、発電用永久磁石２２の振動（変位）に摩擦によるロスが発生せず、しかも、発電用永久磁石２２を安定して軸線方向（所定方向）に振動させることができる。
【００５０】
なお、上記第１の実施の形態に係る発電装置１０では、発電用永久磁石２２がコイル５２の内側に配置された構成としたが、これに限らず、コイル５２が発電用永久磁石２２の径方向側方に配置された構成としてもよい。
【００５１】
また、上記第１の実施の形態に係る発電装置１０では、第１捩りコイルスプリング４４、第１保持用永久磁石４０、発電用永久磁石２２、第１保持用永久磁石４２、第２捩りコイルスプリング４８が直線的に配列された構成としたが、これに限らず、例えば、第１連結部材２４及び第２連結部材３２をクランク状に形成することで、第１捩りコイルスプリング４４、第１保持用永久磁石４０、第１保持用永久磁石４２、及び第２捩りコイルスプリング４８と発電用永久磁石２２とが互いに径方向にズレて配置された構成としてもよい。
【００５２】
さらに、上記第１の実施の形態に係る発電装置１０では、弾性部材として第１捩りコイルスプリング４４及び第２捩りコイルスプリング４８を適用して構成したが、これに限らず、例えば、弾性部材としては、一端がケース１２の側壁又は底壁に係止され他端が駆動部２０に係止された板バネやゴムなどを適用して構成してもよい。
【００５３】
またさらに、上記第１の実施の形態に係る発電装置１０では、第１保持用永久磁石４０、４２及び第２保持用永久磁石１６、１８が、発電用永久磁石２２の軸線方向両側に設けられた構成としたが、これに限らず、第１保持用永久磁石４０（又は第１保持用永久磁石４４）及び第２保持用永久磁石１６（又は第２保持用永久磁石１８）を省略した構成としてもよい。
＜第２の実施の形態＞
図４には、本発明の第２の実施の形態に係る発電装置６０の概略構成図が示されている。
【００５４】
発電装置６０は、モータ等を用いた回転タイプの発電装置であり、コイル６２及び該コイル６２の近傍に設けられた発電用永久磁石６４を備えている。コイル６２には、円柱状に形成されて回転軸を構成する第１保持用永久磁石６６が一体的に連結されている。第１保持用永久磁石６６は、円錐状に形成された先端部の磁極がＳ極６８とされ、それ以外の部分の磁極がＮ極７０とされている。
【００５５】
また、この発電装置６０は、第１保持用永久磁石６６の軸受を構成する第２保持用永久磁石７２を備えている。第２保持用永久磁石７２は、第１保持用永久磁石６６の先端部（Ｓ極６８）を収容する円錐状の収容孔７４を備えている。この第２保持用永久磁石７２は、第１保持用永久磁石６６と反対側がＮ極７６とされ、収容孔７４の内周部を含む第１保持用永久磁石６６側がＳ極７８とされている。
【００５６】
このため、第２保持用永久磁石７２は、第１保持用永久磁石６６を磁気浮揚によって所定方向（軸線周り）に回転可能に保持されている。これにより、第１保持用永久磁石６６と一体でコイル６２が回転すると、コイル６２に誘導電流が発生し発電する。
【００５７】
上記構成の発電装置６０においても、コイル６２の回転（変位）に摩擦によるロスが発生せず、しかも、コイル６２を安定して所定方向（第１保持用永久磁石６６の軸線周り）に回転させることができる。なお、コイル６２の代わりに発電用永久磁石６４が第１保持用永久磁石６６に一体的に連結されて回転する構成としてもよい。
【図面の簡単な説明】
【００５８】
【図１】本発明の第１の実施の形態に係る発電装置の構成を示し、（Ａ）は発電用永久磁石が中立位置に保持された状態を示す断面図であり、（Ｂ）は発電用永久磁石がコイルの軸線方向一方へ移動した状態を示す断面図であり、（Ｃ）は発電用永久磁石がコイルの軸線方向他方へ移動した状態を示す断面図である。
【図２】本発明の第１の実施の形態に係る発電装置の第１保持用永久磁石及び第２保持用永久磁石を含む周辺部材の構成を示す断面図である。
【図３】本発明の第１の実施の形態に係る発電装置の全体構成を示す分解斜視図である。
【図４】本発明の第２の実施の形態に係る発電装置の概略構成図である。
【符号の説明】
【００５９】
１０          発電装置
１２          ケース
１６          第２保持用永久磁石
１８          第２保持用永久磁石
２２          発電用永久磁石
４０          第１保持用永久磁石
４２          第１保持用永久磁石
４４          第１捩りコイルスプリング（弾性部材）
４６          第２捩りコイルスプリング（弾性部材）
５２          コイル
６０          発電装置
６２          コイル
６４          発電用永久磁石
６６          第１保持用永久磁石
７２          第２保持用永久磁石
【図１】
2006333688.tif 000003
【図２】
2006333688.tif 000004
【図３】
2006333688.tif 000005
【図４】
2006333688.tif 000006